(57)【要約】【課題】  指針本体の発光ムラを抑制することが可能な発光指針を提供する。【解決手段】  回転中心領域Ｒと計測値表示部を指示する指示部１２とを有する透光性の指針本体１０と、この指針本体１０が発光するように照明光を指針本体１０に導くための導光部６２を有する台座部材３０とを備え、指針本体１０と導光部６２と遮蔽部材７０とを覆う非透光性のカバー部材２０には、指針本体１０の前面を露出させるスリット２１ａが設けられている発光指針において、台座部材３０には、回転中心領域Ｒと指示部１２との照明バランスが保たれるように、回転中心領域Ｒに導入される照明光の光量を調整する光量調整部７５が設けられている。【選択図】図１
2015224998.tif 000002
【特許請求の範囲】
【請求項１】
回転中心領域と計測値表示部を指示する指示部とを有する透光性の指針本体と、
前記指針本体が発光するように照明光を前記指針本体に導くための導光部を有する台座部材とを備え、
前記回転中心領域と前記導光部とを少なくとも覆う非透光性のカバー部材には、前記指針本体の前面うち前記回転中心領域の前面を少なくとも露出させるスリットが設けられている発光指針において、
前記台座部材には、前記回転中心領域と前記指示部との照明バランスが保たれるように、前記回転中心領域に導入される照明光の光量を調整する光量調整部が設けられていることを特徴とする発光指針。
【請求項２】
回転中心領域と計測値表示部を指示する指示部とを有する透光性の指針本体と、
前記指針本体が発光するように照明光を前記指針本体に導くための導光部を有する台座部材とを備え、
前記回転中心領域と前記導光部とを少なくとも覆う非透光性のカバー部材には、前記指針本体の前面うち前記回転中心領域の前面を少なくとも露出させるスリットが設けられている発光指針において、
前記回転中心領域には、前記導光部の形状に対応した膨出部が設けられ、
前記膨出部には、前記回転中心領域と前記指示部との照明バランスが保たれるように、前記回転中心領域に導入される照明光の光量を調整する光量調整部が設けられていることを特徴とする発光指針。
【請求項３】
前記台座部材は、前記導光部の周囲に位置する非透光性の台座部を備え、
前記光量調整部は、前記台座部に一体的に設けられた遮光部からなることを特徴とする請求項１記載の発光指針。
【発明の詳細な説明】
【技術分野】
【０００１】
本発明は、各種車両に備えられる車両用計器に搭載された発光指針に関するものである。
【背景技術】
【０００２】
従来より、この種の発光指針にあっては、例えば下記特許文献１に記載されているものが知られている。この特許文献１に記載の発光指針は、回転中心領域と表示板に設けられた計測値表示部を指示する指示部とを有する透光性の指針本体と、この指針本体が発光するように照明光を指針本体に導くための導光部と当該導光部の周囲に位置する非透光性の台座部とを有する台座部材とを備え、指針本体の回転中心領域と台座部材に備えられる導光部と台座部とを覆う非透光性のカバー部材には、指針本体の前面うち回転中心領域の前面を露出させるスリットが設けられているものである。
【先行技術文献】
【特許文献】
【０００３】
【特許文献１】特開２００２−２５０６４２号公報
【発明の概要】
【発明が解決しようとする課題】
【０００４】
ところで、上述した特許文献１に記載の発光指針において、照明光を発する光源の真上に台座部材の導光部や指針本体の回転中心領域が位置し、且つ、カバー部材に指針本体における回転中心領域の前面を露出させるスリットが設けられているような構成では、指針本体の回転中心領域が、回転中心領域を除いた指針本体の他の箇所（例えば前記指示部）よりも明るく発光し易い傾向にあり、指針本体の発光ムラが生じてしまうという問題があった。
そこで本発明は、前述の課題に対して対処するため、指針本体の発光ムラを抑制することが可能な発光指針の提供を目的とするものである。
【課題を解決するための手段】
【０００５】
本発明は、回転中心領域と計測値表示部を指示する指示部とを有する透光性の指針本体と、前記指針本体が発光するように照明光を前記指針本体に導くための導光部を有する台座部材とを備え、前記回転中心領域と前記導光部とを少なくとも覆う非透光性のカバー部材には、前記指針本体の前面うち前記回転中心領域の前面を少なくとも露出させるスリットが設けられている発光指針において、前記台座部材には、前記回転中心領域と前記指示部との照明バランスが保たれるように、前記回転中心領域に導入される照明光の光量を調整する光量調整部が設けられていることを特徴とする。
【０００６】
また本発明は、回転中心領域と計測値表示部を指示する指示部とを有する透光性の指針本体と、前記指針本体が発光するように照明光を前記指針本体に導くための導光部を有する台座部材とを備え、前記回転中心領域と前記導光部とを少なくとも覆う非透光性のカバー部材には、前記指針本体の前面うち前記回転中心領域の前面を少なくとも露出させるスリットが設けられている発光指針において、前記回転中心領域には、前記導光部の形状に対応した膨出部が設けられ、前記膨出部には、前記回転中心領域と前記指示部との照明バランスが保たれるように、前記回転中心領域に導入される照明光の光量を調整する光量調整部が設けられていることを特徴とする。
【０００７】
また本発明は、前記台座部材は、前記導光部の周囲に位置する非透光性の台座部を備え、前記光量調整部は、前記台座部に一体的に設けられた遮光部からなることを特徴とする。
【発明の効果】
【０００８】
本発明によれば、初期の目的を達成でき、指針本体の発光ムラを抑制することが可能な発光指針を提供できる。
【図面の簡単な説明】
【０００９】
【図１】本発明の実施形態による発光指針を構成する各部を示す斜視図。
【図２】同実施形態による発光指針の断面図。
【図３】同実施形態による台座部材の正面図。
【図４】同実施形態の変形例による指針本体の背面図。
【図５】同実施形態の変形例による指針本体の側面図。
【発明を実施するための形態】
【００１０】
以下、図１〜図３に基づいて、本発明を車両用計器に搭載された発光指針に適用した一実施形態を説明する。
【００１１】
図１、図２において、本実施形態による発光指針は、透光性の指針本体１０と、この指針本体１０の前方と側方を覆うカバー部材２０と、このカバー部材２０の背面側開口を塞ぐように配置される台座部材３０と、発光指針の回転時のバランスを保つためのバランサ４０とから構成され、可動磁石式計器またはステッピングモータからなる指針駆動手段５０に備えられる回転軸５１に装着され、この回転軸５１に連動して図示しない表示板上を軸回り回転するようになっている。
【００１２】
指針本体１０は、透光性合成樹脂材料によって形成され、回転中心領域Ｒと後述する末端部とを備える基部１１と、回転軸５１の軸線と同軸となる回転中心軸線ＲＡに対して略直交する方向に長手状に延びる指示部１２を有し、指示部１２は前記表示板に備えられる目盛等の計測値表示部（図示せず）を指示する。
【００１３】
なお、この場合、基部１１には、台座部材３０に備えられる後述する導光部に対応する切り欠き部１３が形成され、この切り欠き部１３の内面にて第１の入光部１４と第２の入光部１５とが形成されている。
【００１４】
第１の入光部１４は、回転中心軸線ＲＡに沿うように設けられた立壁面からなり、基部１１と指示部１２との境界部分に位置している。また、第２の入光部１５は、指示部１２の長手方向に沿うように設けられた平坦面からなり、基部１１の背面に位置する。
【００１５】
また、回転中心領域Ｒには、前記導光部の形状に対応した膨出部１６が設けられている。この膨出部１６は、回転中心領域Ｒに対応する第２の入光部１５箇所の側方に延びる略円形のフランジ部からなり、台座部材３０に備えられる後述する位置決めピンに対応する２つの孔部１７を有している。
【００１６】
なお、指針本体１０（基部１１及び指示部１２）前面と、指示部１２背面と各入光部１４、１５とで構成される指針本体１０背面とのうち少なくとも一方に、白色等のホットスタンプ層（図示せず）を形成してもよい。
【００１７】
カバー部材２０は、非透光性（例えば黒色）の合成樹脂材料にて形成され、基部１１と指示部１２と台座部材３０の所要部（ここでは前記導光部及び後述する遮蔽部材）とを覆う覆い部材からなり、指針本体１０の前方を覆う前面壁部２１と、指針本体１０の側方を覆う周壁部２２とを有し、前面壁部２１とは反対側となる周壁部２２の底部側は開口している。
【００１８】
カバー部材２０に備えられる前面壁部２１には、指針本体１０の前面（基部１１の前面及び指示部１２の前面）を露出させるためのスリット２１ａが設けられ、また周壁部２２の内壁面には前記台座部に嵌合する一対の係止爪２２ａが設けられている。
【００１９】
台座部材３０は、透光性樹脂材料にて形成された透光部材６０と、非透光性（例えば黒色）の合成樹脂を用いた二色成形により透光部材６０に一体的に設けらた遮蔽部材７０とを備えている。
【００２０】
透光部材６０は、断面略Ｔ字形に形成され、指針本体１０における基部１１の直下に配置されている。この透光部材６０は、回転軸５１が装着（連結）される貫通孔部６１ａを有するボス部６１と、このボス部６１の前方側から回転中心軸線ＲＡを中心とした略円盤状に伸びる導光体６２とを備えている。
【００２１】
導光体６２は、指針本体１０が発光するように、光源（図示せず）からの照明光を指針本体１０に導くための機能を有している。また、導光部６２は、前記光源からの照明光を受光するように導光体６２の底部に設けられた受光部６３と、この受光部６３と第２の入光部１５との間に設けられた略扇形状の前側導光部６４、後側導光部６５とを備えている。
【００２２】
これら前側導光部６４と後側導光部６５は、貫通孔部６１ａを通り、指示部１２の前記長手方向とは直交する方向に延びる仮想中心線Ｙを中心として、線対称な形状となっており、前側導光部６４と後側導光部６５との間に位置する導光部６２の表面部分は、平坦な板面部６６として形成される。
【００２３】
また、この場合、前側導光部６４は指示部１２に近い側（回転中心軸線Ｒよりも先端側）に位置しており、後側導光部６５は指示部１２から比較的離れた位置（回転軸線Ｒよりも後端側）に位置している。
【００２４】
前側導光部６４には、受光部６３を通じて導光体６２内に導入された照明光を指示部１２側に反射導光させるための傾斜面形状からなる第１の反射面６４ａと、この第１の反射面６４ａを通じて指示部１２の前記長手方向に反射された照明光（以下、第１照明光という）を外部に放射する立壁面からなる第１の出光面６４ｂとが形成されている。
【００２５】
この第１の出光面６４ｂは、指針本体１０の第１の入光部１４に対応（対面）しており、第１の出光面６４ｂを通じて指示部１２に第１照明光を供給し、主に切り欠き部１３よりも先端側に位置する指示部１２領域を照明するようになっている。
【００２６】
後側導光部６５には、受光部６３を通じて導光体６２内に導入された照明光照明光を膨出部１６（回転中心領域Ｒ）を挟んで指示部１２とは反対側に位置する基部１１の末端部１８に反射導光させるための傾斜面形状からなる第２、第３の反射面６５ａ、６５ｂと、これら第２、第３の反射面６５ａ、６５ｂを通じて末端部１８側に反射導光された照明光（以下、第２照明光と言う）を外部に放射する第２の出光面６５ｃとが形成されている。
【００２７】
第２の反射面６５ａは、受光部６３を通じて導光体６２内に導入された照明光を第３の反射面６５ｂ側に向けて反射導光させるものである。また第３の反射面６５ｂは、第２の反射面６５ａから第２の出光面６５ｃへと至る第２照明光の光路中に設けられ、第２の反射面６５ａと対面しており、第２の反射面６５ａで反射された第２照明光を第２の出光面６５ｃ側へと反射導光させるものである。
【００２８】
第２の出光面６５ｃは、基部１１の末端部１８に対応（対面）しており、第２の出光面６５ｃを通じて末端部１８に第２照明光を供給し、主に基部１１の末端部１８を照明するようになっている。
【００２９】
遮蔽部材７０は、周壁部２２の底部側開口を閉塞するように当該底部側開口に配設される黒色の合成樹脂材料によって形成された閉塞部材からなり、指示部１２を保持する細長薄板状の保持部７１と、導光部６２の周囲（背面側周縁）に位置する（非透光性の）台座部７２と、バランサ４０を固定保持するための受部７３とを備え、この受部７３と傾斜面からなる第３の反射面６５ｂとの間に形成される空所にバランサ４０が配設（埋設）される。
【００３０】
保持部７１は、指示部１２を背後から覆うように構成され、指示部１２の前記長手方向に反射された前記第１照明光が指示部１２の背後側に漏れるのを防止する光漏れ防止部材としての機能を有している。
【００３１】
台座部７２は、導光部６２を包囲するような略環状形状となっており、この（台座部材３０に備えられる）台座部７２には、図３に示すように指針本体１０に備えられる孔部１７に対応するように設けられた一対の位置決めピン７４と、仮想中心線Ｙに沿うように導光部６２の板面部６６上に設けられる光量調整部７５とが設けられ、各孔部１７に各位置決めピン７４を挿入することにより、指針本体１０と台座部材３０との位置決めを行うようにしている。
【００３２】
光量調整部７５は、黒色の合成樹脂材料によって形成され、指示部１２の前記長手方向とは略直交する方向（つまり仮想中心線Ｙ）に沿うように、台座部７２に一体的に設けられた遮光部からなる。具体的には、ここでの光量調整部７５は、貫通孔部６１を避けるように、貫通孔部６１ａと一対の位置決めピン７４との間に２箇所形成され、その形状はともに貫通孔部６１ａ側から位置決めピン７４側に向かうに従って末広がり状の形状となっている。
【００３３】
光量調整部７５は、受光部６３を通じて導光部６２内に供給された照明光の一部が、膨出部１６に対応する第１の入光部１５箇所（つまり回転中心領域Ｒ）を直接照らさないようにする役割を果たすものであり、これにより回転中心領域Ｒが、回転中心領域Ｒを除いた指針本体１０の他の領域（指示部１２や末端部１８）よりも明るくなり過ぎないようになっている。
【００３４】
つまり、このことは、光量調整部７５は、指示部１２と回転中心領域Ｒと末端部１８との照明バランスが保たれるように、回転中心領域Ｒに導入される照明光（以下、第３照明光と言う）の光量を調整するものであることを意味している。これにより膨出部１６に対応する第２の入光部１５箇所の真上に位置する回転中心領域Ｒが、指示部１２や末端部１８よりも明るくなり過ぎないようになっており、指針本体１０全長の照明バランスの均一化が保たれて、指針本体１０の発光ムラを抑制することが可能となる。
【００３５】
なお、本例の場合、前記光源は、２箇所の光量調整部７５の直下にそれぞれ配置された白色ＬＥＤからなり、前記各光源の発光時にはスリット２１ａから露出する指針本体１０前面が白色で発光する。
【００３６】
次に、本実施形態における発光指針の組み付け例について説明する。まず、上下が反転状態となっているカバー部材２０（つまりスリット２１ａが下端側に位置している状態のカバー部材２０）と、同様に上下が反転状態となっている指針本体１０（つまり指示部１２背面が上側に位置している指針本体１０）とを用意し、指針本体１０（指示部１２や回転中心領域Ｒ、末端部１８）の前面がスリット２１ａを臨むように指針本体１０をカバー部材２０内にセットする。
【００３７】
続いて、前記空所にバランサ４０が取り付けられた状態であって、且つ、上下が反転状態となっている台座部材３０（つまりボス部６１が上側に位置している台座部材３０）を用意し、保持部７１と指示部１２、並びに位置決めピン７４と孔部１７が各々向かい合うように、台座部材３０とカバー部材２０内に収容された状態の指針本体１０とを位置合わせする。
【００３８】
最後に、この台座部材３０を周壁部２２の底部側開口を塞ぐように指針本体１０側に押し付ける。すると、遮蔽部材７０の位置決めピン７４が指針本体１０の孔部１７に嵌め込まれ、且つ、台座部７２の外周部が第２のカバー部２２の内壁面に設けられた一対の係止爪２２ａに係止され、指針本体１０とカバー部材２０と台座部材３０とバランサ４０とで構成される発光指針の組み付けが完了する。
【００３９】
以上のように本実施形態では、回転中心領域Ｒと前記計測値表示部を指示する指示部１２とを有する透光性の指針本体１０と、この指針本体１０が発光するように照明光を指針本体１０に導くための導光部６２を有する台座部材３０とを備え、指針本体１０と台座部材３０に備えられる導光部６２と遮蔽部材７０とを覆う非透光性のカバー部材２０には、指針本体１０の前面を露出させるスリット２１ａが設けられている発光指針において、台座部７２（台座部材３０）には、指示部１２と回転中心領域Ｒと末端部１８との照明バランスが保たれるように、回転中心領域Ｒに導入される照明光（前記第３照明光）の光量を調整する光量調整部７５が設けられているものである。
【００４０】
従って、光量調整部７５は、受光部６３を通じて導光部６２内に供給された照明光の一部が、膨出部１６に対応する第２の入光部１５箇所（つまり回転中心領域Ｒ）を直接照らさないようになっているため、膨出部１６に対応する第２の入光部１５箇所の真上に位置する回転中心領域Ｒが、回転中心領域Ｒを除いた指針本体１０の他の領域（指示部１２や末端部１８）よりも明るくなり過ぎず、指針本体１０全長の照明バランスの均一化が保たれて、指針本体１０の発光ムラを抑制することが可能となる。
【００４１】
また本実施形態では、台座部材７０は導光部６２の周囲に位置する非透光性の台座部７２を備え、光量調整部７５は台座部７２に一体的に設けられた遮光部からなることにより、遮光部材７０を前記二色成形によって透光部材６０に一体的に形成した段階で、透光部材６０の板面部６６上に遮光部材７０の光量調整部７５が形成されることから、透光部材６０と遮蔽部材７０とで構成される台座部材３０を安価に製作することができ、コスト的に有利である。
【００４２】
また本実施形態では、前記光源が光量調整部７５の直下に２つ配置されている例について説明したが、例えば２つの光源を第１、第２の反射面６４ａ、６５ａの直下に各々配置した場合であっても、前記実施形態と同様の作用効果を得ることができる。
【００４３】
また本実施形態では、光量調整部７５が、導光部６２の板面部６６上に設けられている例について説明したが、光量調整部７５は導光部６２内に供給された照明光の一部が回転中心領域Ｒを直接照らさないような構成であればあらゆる構成を採用することができ、例えば光量調整部７５を板面部６６に対応する導光部６２の背面箇所に設けてもよいし、あるいは本実施形態の変形例として図４、図５に示すように前記照明バランスが保たれるように回転中心領域Ｒに導入される照明光（前記第３照明光）の光量を調整するための光量調整部８０が導光部６２側ではなく膨出部１６側に設けられている場合であっても、前記実施形態と同様の作用効果を得ることができる。
【００４４】
なお、図４、図５で示す変形例の場合、光量調整部８０は、指針本体１０を背面側から見たときに、一対の孔部１７間に位置する膨出部１６の背面箇所において、仮想中心線Ｙに沿うように（略台形形状にて）形成され、また指針本体１０を側方から見たときに、膨出部１６の背面側に所定の厚みを有するように突出形成されている。このとき、黒色の樹脂材料で形成される光量調整部８０は、第１の反射面６４ａと第２の反射面６５ａと板面部６６と第２の入光部１５との間に形成される空洞部分に配置され、例えば前記二色成形により指針本体１０と一体形成してもよいし、あるいは指針本体１０とは別部材で形成し適宜固定手段を用いて指針本体１０に固定してもよい。
【００４５】
また本実施形態では、カバー部材２０が、指針本体１０（基部１１及び指示部１２）と導光部６２と遮蔽部材７０とを覆うものであったが、カバー部材２０として指示部１２を覆う周壁部２２箇所を廃止したカバー部材を採用し、当該カバー部材が、基部１１と導光部６２と台座部７２と受部７３とを覆うように構成されていればよい。なお、この場合、当該カバー部材には、指針本体１０の前面のうち基部１１の前面を露出させるスリットが設けられ、且つ、指示部１２を覆う周壁部２２箇所が廃止されることに伴って保持部７１も廃止されることになる。
【００４６】
また本実施形態では、指針本体１０が、回転中心領域Ｒと末端部１８とを有する基部１１と、前記計測値表示部を指示する指示部１２とで構成されている例について説明したが、例えば回転中心領域Ｒの後端側に位置する末端部１８を前面壁部２１によって覆い隠し、回転中心領域Ｒと指示部１２のみがスリット２１ａから露出しているような構成としてもよいし、または末端部１８自体を廃止してもよい。
【００４７】
なお、末端部１８自体を廃止して回転中心領域Ｒの後端側を前面壁部２１によって覆い隠し、且つ、カバー部材２０として指示部１２を覆う周壁部２２箇所を廃止した上記カバー部材を採用した場合にあっては、カバー部材は、回転中心領域Ｒと導光部６２と台座部７２（少なくとも回転中心領域Ｒと導光部６２）を覆うものであればよく、また当該カバー部材には指針本体１０の前面うち回転中心領域Ｒの前面を露出させるスリットが設けられることになる。
【符号の説明】
【００４８】
１０    指針本体
１１    基部
１２    指示部
１８    末端部
２０    カバー部材
２１ａ  スリット
３０    台座部材
４０    バランサ
５０    指針駆動手段
５１    回転軸
６０    透光部材
６１    ボス部
６２    導光部
６３    受光部
６４    前側受光部
６５    後側受光部
６６    板面部
７０    遮蔽部材
７１    保持部
７２    台座部
７５    光量調整部
Ｒ    回転中心領域
ＲＡ    回転中心軸線
Ｙ    仮想中心線
【図１】
2015224998.tif 000003
【図２】
2015224998.tif 000004
【図３】
2015224998.tif 000005
【図４】
2015224998.tif 000006
【図５】
2015224998.tif 000007